(57)【要約】      （修正有）【課題】スマートフォンアプリを対象としたプロモーションを行う際、個人情報保護の問題をクリアしつつプロモーションが実施可能となるように、第三者サーバに情報を送信することなく広告効果測定を実現させる。かつユーザユニーク情報取得による成果重複チェックを行い、プロモーション獲得ユーザとプロモーション外流入ユーザとの厳密な判定および成果多重獲得等の不正への対策を実現する。【解決手段】スマートフォンアプリおよび、アプリを提供しているクライアントのシステムサーバ、それぞれにSDK（ソフトウェア制御キット）を設置し連携させることでこれを実現する。クライアント・サーバ内SDKはユーザのLP（最初に遷移するページ）アクセス時およびアプリ起動時にユーザユニーク情報を取得し、コンバージョン判定を行うスマートフォン内アプリSDKはあくまで特定のページURLにアクセスするだけであり、そのURLは任意で変更可能とする。【選択図】図１
2015001885.tif 000002
【特許請求の範囲】
【請求項１】
スマートフォンアプリのプロモーション・効果測定を対象としたの仕組みで、クライアント・サーバとクライアントアプリにSDKをインストールし、ユーザが広告ページ等特定URLを経由しアプリダウンロードを行った際、ユーザ端末に紐付くセッションを保存すると同時にcookieIDを付与し、初回起動か否かを判定の上成果通知を実行し、再びアプリを起動させる広告方法。
【発明の詳細な説明】
【技術分野】
【０００１】
本発明は、インターネット広告における方法に関する。特に、スマートフォンアプリの提供サービスサイト（auスマートパスやGooglePlay等）に対するに関する。
【背景技術】
【０００２】
スマートフォンアプリ提供サイトに掲載されているスマートフォンアプリを対象に、プロモーションや効果測定のために設定を行うにあたり、アプリにSDKを組み込み、各リワード会社・アフィリエイト会社システムへ成果情報やユーザユニーク情報等を送信することが一般的となっている。
【０００３】
具体的には、ユーザが広告掲載メディア（WEB・アプリ）からスマートフォンアプリ提供サイトにアクセスする際、掲載アプリの広告を配信する広告管理会社が運営するサーバを経由することになるが、この際ユーザ端末に紐付くユーザユニーク情報・掲載メディア情報・掲載アプリ情報等がサーバに収集される。そしてこの後、スマートフォンアプリ提供サイトにおける掲載アプリの購入手続を経て、それがユーザ情報端末にダウンロードおよびインストールされる。この掲載アプリが初めて起動された時に、ユーザ端末に紐付く情報が前記サーバに送信される。この初回起動時に送信されるユーザ端末情報と、メディアの掲載広告からスマートフォンアプリ提供サイトにアクセスする際に収集されたユーザ情報とが比較照合されることにより、広告掲載メディアが特定される。これにより、掲載メディアに的確に成功報酬が支払われ、同時に広告に基づくインセンティブがメディアユーザに付与されることになる。また、ユーザユニーク情報は重複成果を非承認にする用途にも使用され、成果の多重獲得を目論む不正ユーザに対し一定の効果を上げている。
【先行技術文献】
【特許文献】
【０００４】
【特許文献１】特開２０１１−１７５６１１
【特許文献２】特願２００６−１１６７９
【発明の概要】
【発明が解決しようとする課題】
【０００５】
しかし昨今、個人情報保護の観点からキャリアやクライアントのシステムからインターネット広告会社等第三者サーバへ外部通信を行うことが非推奨となっている。
【０００６】
また、プロモーション開始前にアプリダウンロードや会員登録等を行ったユーザに対し、プロモーション時に効果測定対象外とし、広告配信で初めてアクションを行ったユーザのみ計測したいというニーズもある。これはプロモーション運用によるユーザ獲得の効率化と、重複登録等による課金不正・ポイント不正対策の目的が含まれている。
【課題を解決するための手段】
【０００７】
そこで、上記課題を解決するため、本発明ではスマートフォンアプリSDKに加え、サーバ側にもSDKを設置する。
【０００８】
上記SDKにより、ユーザの個人情報はキャリアおよびクライアントシステム内のみに保持され、インターネット広告会社等の第三者サーバに送信される情報は広告効果測定のためのもののみとなり、個人情報保護を実現する。
【０００９】
また、クライアントシステム内にあるユーザ個人情報を元に成果の重複チェックを行うため、広告効果測定の精度を高め、不正ユーザへの対策も可能となる。
【発明の効果】
【００１０】
本発明により、ユーザに紐付く個人情報は第三者サーバに送信されることがなくなり、ユーザ個人情報が保護される。一方、クライアントサーバ内で既存ユーザを計測しなくなるため、広告効果測定の精度が高まる。
【図面の簡単な説明】
【００１１】
【図１】図の説明本発明に関わるシステム遷移を図面で示す。概要としては広告URLクリック→インターネット広告効果測定システムを経由しクライアントシステムへアクセス→cookieID付与とリワードセッションを保存の上、ダウンロードサイトへ遷移→インストール→ブラウザ立上げ→任意設定されたURLに遷移→パスワード入力、承認時に再びクライアントシステムへアクセス→ユーザユニーク情報取得、cookieチェック→成果通知、アプリ立ち上げとなる。
【００１２】
SDKはクライアントサーバサイドに組み込まれるもの2点、スマートフォンアプリに組み込まれるもの1点、合計3点で構成される。
【００１３】
クライアントサーバサイドSDK(1)は広告URLからのリダイレクトアクセス時、URLに付与された特定のパラメータに紐付く値をセッションとして保存する。同時にユーザがクライアントドメインのランディングページに遷移することで、1stPatyCookieにcookieIDを書き込む。これにより、mobileSafariのような3rdPatyCookieをデフォルトNGにしているブラウザでも可能にする。そしてcookieID書き込み及びセッション保存後、スマートフォンアプリダウンロードページを始めとする広告主任意のページへリダイレクトする。
【００１４】
クライアントサーバサイドSDK(1)ではリワード会社毎にメディアIDを割り振り、ユーザのページ閲覧時の特定パラメータの値にて、どのリワード会社からのアクセスなのかを判別する。パラメータ名は連携するリワード会社ごとに設定可能とする。またセッションを保存する際、同時にcookieにcookieIDを書き込み、セッション値と紐付ける。
【００１５】
スマートフォンアプリSDKはアプリ起動時、ユーザ端末内にブラウザ起動履歴が存在するかを調べる。ブラウザ起動履歴が存在しない場合、アプリSDK内にあらかじめ設定されている特定のURLを開き、起動履歴が存在した場合、URLを開くことなくアプリを起動する。
このURLはアプリSDKを導入・設定する際に任意設定が可能であり、主にユーザユニーク情報を入力するログインページを想定する。
【００１６】
クライアントアプリSDKはブラウザ起動履歴を一定期間経過後リセット機能を持つ（月次・日次）。またこのSDKは広告効果測定システム等外部サーバへの情報送受信は行なわない。
【００１７】
上記クライアントアプリSDKによる特定URL遷移（auIDログインページ等）が完了した後、サーバサイドSDK(2)へのアクセスが発生する。その際にログイン完了した時のユーザユニーク情報等を当SDKが取得できる。このユーザユニーク情報は取得後、SDK内の簡易DBに保存される。
【００１８】
ユーザ端末によるクライアントサーバサイドSDK(2)へのアクセス発生時、端末ブラウザでcookie情報突合せ用のクッションページURLにアクセスしcookieIDを確認する。cookieIDが合致し、かつ過去に（新規登録/DL等）同一のユーザユニーク情報が存在したものは、成果通知せずアプリを起動する。同様にcookieIDが合致し、かつ過去に同一のユーザユニーク情報が（新規登録/DL等）存在しなかったものは、インターネット広告会社を判別の上、成果通知情報にセッションIDを反映して通知を行ない、その後URIスキームでアプリ起動を行なう。
【００１９】
サーバサイドSDK(2)には各インターネット広告会社に紐付いたIDを割り振り、それとともに通知先がプリセットで設定可能とする。またこの通知先は複数選択可能とする。成果通知はソケット通信方式とし、パラメータはGET/POSTいずれでも送信可能とする。この成果通知時にインターネット広告システム側へユーザユニーク情報を通知可能し、機能はon/off切替可能とする（デフォルトはoff）。
【発明を実施するための形態】
【００２０】
本発明ではインターネット広告経由でクライアントアプリをダウンロードしたユーザを計測するため、auスマートパス等ユーザユニーク情報を利用するクライアントが望ましい。また、システム連携するインターネット広告会社も特に限定せず、標準的な広告効果測定システムを採用していれば連携可能とする。ただし、本発明の技術的範囲はこれら実施形態に限定されず、特許請求の範囲に記載された事項とその均等物まで及ぶものである。
【図１】
2015001885.tif 000003